(57)【要約】【課題】照射対象のうち各基板の境界部分に対応する部分の照射ムラを容易に低減することの可能な照明装置及び基板を提供する。【解決手段】照明装置１００は、第１基板３ａと、第１基板３ａと端部同士が対向するように配列される第２基板３ｂと、各基板３ａ，３ｂの配列方向（Ｘ方向）に沿って間隔をおいて設けられた複数の発光素子３１とを備える。複数の発光素子３１の間隔ｐ１，ｐ２，ｐ３は、第１基板３ａに設けられた発光素子３１のうち第２基板３ｂ側に位置する発光素子３１と、第２基板３ｂに設けられた発光素子３１のうち第１基板３ａ側に位置する発光素子３１との間隔をｐとしたときに、第１基板３ａの配列方向（Ｘ方向）の端部側であって第２基板３ｂに近い端部側から第１基板３ａの配列方向（Ｘ方向）の中央部側に向かって、ｐから段階的に大きくなるように形成されている。【選択図】図３
2016139547.tif 000002
【特許請求の範囲】
【請求項１】
第１基板と、
前記第１基板と側面同士が対向するように配列される第２基板と、
前記第１基板及び前記第２基板の各々に各基板の配列方向に沿って間隔をおいて設けられた複数の発光素子とを備え、
前記複数の発光素子の間隔は、前記第１基板に設けられた発光素子のうち前記第２基板側に位置する発光素子と、前記第２基板に設けられた発光素子のうち前記第１基板側に位置する発光素子との間隔をｐとしたときに、前記第１基板及び前記第２基板のうち一方の基板の前記配列方向の端部側であって他方の基板に近い端部側から前記一方の基板の前記配列方向の中央部側に向かって、ｐから段階的に大きく又は小さくなるように形成されている、ことを特徴とする照明装置。
【請求項２】
前記複数の発光素子は、前記第１基板及び前記第２基板のうち一方の基板において、前記一方の基板の前記配列方向の中央部を横断する線を軸として対称となるように配置されている、ことを特徴とする請求項１に記載の照明装置。
【請求項３】
他の基板と側面同士が接触するように配列される基板であって、
前記他の基板との配列方向に沿って間隔をおいて設けられた複数の発光素子を備え、
前記複数の発光素子の間隔は、前記他の基板と接触する端部と、前記複数の発光素子のうち前記他の基板側に位置する発光素子との間隔をｐ／２としたときに、前記他の基板と接触する端部側から前記基板の前記配列方向の中央部側に向かって、ｐから段階的に大きく又は小さくなるように形成されている、ことを特徴とする基板。
【請求項４】
前記複数の発光素子は、前記基板の前記配列方向の中央部を横断する線を軸として対称となるように配置されている、ことを特徴とする請求項３に記載の基板。
【発明の詳細な説明】
【技術分野】
【０００１】
本発明は、発光素子が設けられた基板及びこの基板を備える照明装置に関する。
【背景技術】
【０００２】
近年、発光ダイオード（ＬＥＤ；Ｌｉｇｈｔ  Ｅｍｉｔｔｉｎｇ  Ｄｉｏｄｅ）等の発光素子を光源として用いる照明装置が普及している。このような照明装置は、基本的には、複数の発光素子が一定の間隔をおいて実装された基板を照明装置本体に格納する構成となっている。この基板の形状には様々なものが存在するが、従来の蛍光灯のような長尺型の照明装置に用いられる基板は、当然長尺となるように形成されている。また、この基板の長さは、あまり長く形成すると基板が撓みやすくなり、結果として、はんだ実装工程でクラックが生じて接触不良を引き起こすおそれがあるという実装工程の都合から、最長でも６０ｃｍ程度である。
【０００３】
ところで、複数の基板を連結させる場合や並べて配列する場合には、各基板の境界部分における各基板の発光素子間の間隔と、一つの基板内の発光素子間の間隔とが異なる場合がある。ここで、例えば、各基板の境界部分における各基板の発光素子間の間隔が、一つの基板内の発光素子間の間隔よりも大きい場合には、各基板の境界部分における発光素子からの光量が各基板の他の部分よりも減少するため、照射対象のうち当該境界部分に対応する部分において照射ムラが生じるおそれがある。また、例えば、各基板の境界部分における各基板の発光素子間の間隔が、一つの基板内の発光素子間の間隔よりも小さい場合には、各基板の境界部分における発光素子からの光量が各基板の他の部分よりも多くなるため、この場合においても照射ムラが生じるおそれがある。
【０００４】
そこで、発光素子が実装された基板の境界部分において光量が局所的に減少することを抑制することが可能な照明装置（例えば、特許文献１参照）が知られている。
【先行技術文献】
【特許文献】
【０００５】
【特許文献１】特開２０１４−３００９号公報
【発明の概要】
【発明が解決しようとする課題】
【０００６】
特許文献１に記載の技術では、ＬＥＤ基板の長手方向の端部であって、他のＬＥＤ基板に接続する側の端部の近傍にＬＥＤが設けられている（例えば、特許文献１の図４参照）。しかしながら、この場合には、各ＬＥＤ基板の境界部分における各基板のＬＥＤ間の間隔が、一つのＬＥＤ基板内の発光素子間の間隔よりも小さいので、各ＬＥＤ基板の境界部分における発光素子からの光量がＬＥＤ基板の他の部分よりも多くなることによって生じる照射ムラを抑制するのが困難になるおそれがある。
【０００７】
また、ＬＥＤ基板の端部近傍にＬＥＤを実装するのは製造上困難であり、ＬＥＤをＬＥＤ基板に実装するためには、ＬＥＤ基板の端部からある程度の距離を設ける必要がある。
【０００８】
本発明は、上記課題に鑑みてなされたものであり、照射対象のうち各基板の境界部分に対応する部分の照射ムラを容易に低減することの可能な照明装置及び基板を提供することを目的とする。
【課題を解決するための手段】
【０００９】
上記目的を達成するために、第１に本発明は、第１基板と、前記第１基板と側面同士が対向するように配列される第２基板と、前記第１基板及び前記第２基板の各々に各基板の配列方向に沿って間隔をおいて設けられた複数の発光素子とを備え、前記複数の発光素子の間隔は、前記第１基板に設けられた発光素子のうち前記第２基板側に位置する発光素子と、前記第２基板に設けられた発光素子のうち前記第１基板側に位置する発光素子との間隔をｐとしたときに、前記第１基板及び前記第２基板のうち一方の基板の前記配列方向の端部側であって他方の基板に近い端部側から前記一方の基板の前記配列方向の中央部側に向かって、ｐから段階的に大きく又は小さくなるように形成されている、ことを特徴とする照明装置を提供する（発明１）。
【００１０】
上記発明（発明１）によれば、第１基板及び第２基板のうち一方の基板の発光素子の間隔は、他方の基板に近い端部側から一方の基板の配列方向の中央部側に向かってｐから段階的に大きく又は小さくなるように形成されているので、例えば、一方の基板内の発光素子間の間隔が一定である場合と比較して、発光素子からの光量を、各基板の境界部分から一方の基板の配列方向の中央部側に向かって緩やかに変化させることができる。これにより、照射対象のうち各基板の境界部分に対応する部分の照射ムラを低減することができる。また、上記発明（発明１）によれば、第１基板及び第２基板の端部近傍に発光素子を設けることが必須ではないので、発光素子を第１基板及び第２基板に容易に実装することが可能になる。このため、照射ムラを容易に低減することができる。
【００１１】
上記発明（発明１）において、前記複数の発光素子は、前記第１基板及び前記第２基板のうち一方の基板において、前記一方の基板の前記配列方向の中央部を横断する線を軸として対称となるように配置されていることが好ましい（発明２）。
【００１２】
第２に本発明は、他の基板と側面同士が接触するように配列される基板であって、前記他の基板との配列方向に沿って間隔をおいて設けられた複数の発光素子を備え、前記複数の発光素子の間隔は、前記他の基板と接触する端部と、前記複数の発光素子のうち前記他の基板側に位置する発光素子との間隔をｐ／２としたときに、前記他の基板と接触する端部側から前記基板の前記配列方向の中央部側に向かって、ｐから段階的に大きく又は小さくなるように形成されている、ことを特徴とする基板を提供する（発明３）。
【００１３】
上記発明（発明３）によれば、複数の発光素子の間隔は、他方の基板と接触する端部側から基板の配列方向の中央部側に向かってｐから段階的に大きく又は小さくなるように形成されているので、例えば、複数の発光素子間の間隔が一定である場合と比較して、発光素子からの光量を、各基板の境界部分から基板の配列方向の中央部側に向かって緩やかに変化させることができる。これにより、照射対象のうち各基板の境界部分に対応する部分の照射ムラを低減することができる。また、上記発明（発明３）によれば、基板の端部近傍に発光素子を設けることが必須ではないので、発光素子を基板に容易に実装することが可能になる。このため、照射ムラを容易に低減することができる。
【００１４】
上記発明（発明３）において、前記複数の発光素子は、前記基板の前記配列方向の中央部を横断する線を軸として対称となるように配置されていることが好ましい（発明４）。
【発明の効果】
【００１５】
本発明の照明装置及び基板によれば、照射対象のうち各基板の境界部分に対応する部分の照射ムラを容易に低減することができる。
【図面の簡単な説明】
【００１６】
【図１】本発明の一実施形態に係る照明装置の概略構成図である。
【図２】照明装置の分解斜視図である。
【図３】照明装置のＬＥＤ基板の接続を説明するための図である。
【図４】ＬＥＤ基板の平面図である。
【図５】変形例に係る照明装置のＬＥＤ基板の接続を説明するための図である。
【発明を実施するための形態】
【００１７】
図１〜図４を参照して、本発明の一実施形態に係る照明装置１００の構成について説明する。
【００１８】
照明装置１００は、直管形状を有しており、一般の照明用として室内または屋外で用いられるように構成されている。また、照明装置１００は、照明器具（図示省略）のソケットに装着して使用するように構成されており、図１に示すように、チューブ１と、２つのキャップ２とを備えている。さらに、照明装置１００は、図２に示すように、ＬＥＤ基板３ａ，３ｂと、ヒートシンク４と、電源基板５と、制御基板６とを、チューブ１の内側に備えている。なお、ＬＥＤ基板３ａは、本発明の「第１基板」の一例であり、ＬＥＤ基板３ｂは本発明の「第２基板」の一例である。また、ＬＥＤ基板３ａ，３ｂは、本発明の「基板」の一例である。さらに、ＬＥＤ３１（図３に示す）は、本発明の「発光素子」の一例である。
【００１９】
チューブ１は、図２に示すように、ＬＥＤ基板３ａ，３ｂと、ヒートシンク４と、電源基板５と、制御基板６と、接続ケーブル（図示省略）などとを内包するように構成されている。また、チューブ１は、Ｘ方向に直線状に延びる円筒形に形成されている。さらに、チューブ１は、拡散カバー１１と、裏面カバー１２とを含む。
【００２０】
拡散カバー１１は、複数のＬＥＤ３１からの光を拡散させて外部に照射するように構成されている。ここで、拡散カバー１１は、例えば拡散材を含む樹脂により形成されていてもよい。また、拡散カバー１１は、ＬＥＤ３１の光が照射される側（図２においてＺ１方向側）に配置されている。
【００２１】
裏面カバー１２は、ＬＥＤ３１の光が照射される側と反対側（図２においてＺ２方向側）に配置されている。裏面カバー１２は、例えば、内部が見えないように着色された不透明の樹脂により形成されていてもよい。また、裏面カバー１２は、図２に示すように、チューブ１の軸方向（Ｘ方向）に延びる一対のリブ１２１を有している。一対のリブ１２１は、ヒートシンク４のＺ方向の位置決めをするように構成されている。つまり、一対のリブ１２１と、裏面カバー１２の内面とによりヒートシンク４が挟み込まれるようにして、ヒートシンク４のＺ方向の位置決めが行われるように構成されている。
【００２２】
キャップ２は、図１及び図２に示すように、チューブ１の軸方向（Ｘ方向）の両端にチューブ１を覆うように取り付けられて固定されている。また、キャップ２には一対の端子２１が設けられている。端子２１は、照明装置１００を取り付ける照明器具のソケットの端子（図示省略）を介して電力が供給されるように構成されている。また、端子２１は、接続ケーブル（図示省略）を介して、電源基板５に接続されている。
【００２３】
ＬＥＤ基板３ａ，３ｂは、図２に示すように、ＬＥＤ基板３ａ，３ｂの長手方向（Ｘ方向）に沿って直列に（すなわち、ＬＥＤ基板３ａ，３ｂの主表面が同一平面を形成するようにＬＥＤ基板３ａ，３ｂの側面同士が対向して）配列されている。ここで、主表面とは、表面のうち面積の大きい主要な表面をいう。また、ＬＥＤ基板３ａ，３ｂは、ピンヘッダ（図示省略）を介して互いに電気的に接続されている。なお、例えばピンヘッダの形状などによっては、ＬＥＤ基板３ａ，３ｂは、ＬＥＤ基板３ａ，３ｂの側面同士が接触するように配列されていてもよいし、ＬＥＤ基板３ａ，３ｂの側面同士が所定の間隔（例えば数ｍｍ〜数十ｍｍ程度）をおいて対向するように配列されていてもよい。本実施形態では、ＬＥＤ基板３ａ，３ｂの側面同士が接触するようにＬＥＤ基板３ａ，３ｂが配列されている場合を一例として説明する。
【００２４】
さらに、ＬＥＤ基板３ａ，３ｂには、図３に示すように、複数のＬＥＤ３１がＬＥＤ基板３ａ，３ｂの配列方向（Ｘ方向）に沿って所定の間隔をおいて設けられている。具体的には、複数のＬＥＤ３１は、ＬＥＤ基板３ａ，３ｂにおいて、ＬＥＤ基板３ａ，３ｂの配列方向（Ｘ方向）に沿って、ＬＥＤ基板３ａ，３ｂの短手方向（Ｙ方向）に複数列（図３の例では２列）に並列するように配置されている。
【００２５】
次に、複数のＬＥＤ３１の間隔について図３を参照して具体的に説明する。ＬＥＤ基板３ａに設けられた複数のＬＥＤ３１のうち最もＬＥＤ基板３ｂ側に位置するＬＥＤ３１と、ＬＥＤ基板３ｂに設けられた複数のＬＥＤ３１のうち最もＬＥＤ基板３ａ側に位置するＬＥＤ３１との配列方向（Ｘ方向）の間隔をｐとすると、ＬＥＤ基板３ａにおける複数のＬＥＤ３１の配列方向（Ｘ方向）の間隔ｐ１，ｐ２，ｐ３は、ＬＥＤ基板３ａの配列方向（Ｘ方向）の端部側であってＬＥＤ基板３ｂに近い端部側から、ＬＥＤ基板３ａの配列方向（Ｘ方向）の中央部側に向かって、ｐから段階的に大きくなるように（図３の例では、ｐ３＞ｐ２＞ｐ１＞ｐとなるように）形成されている。この場合、例えば、ＬＥＤ基板３ａの複数のＬＥＤ３１間の配列方向（Ｘ方向）の間隔が一定である場合と比較して、ＬＥＤ３１からの光量を、ＬＥＤ基板３ａ，３ｂの境界部分からＬＥＤ基板３ａの配列方向（Ｘ方向）の中央部側に向かって緩やかに減少させることができる。
【００２６】
なお、本実施形態では、図３に示すように、ＬＥＤ基板３ａの配列方向（Ｘ方向）の端部のうちＬＥＤ基板３ｂに接触する端部と、ＬＥＤ基板３ａの複数のＬＥＤ３１のうちＬＥＤ基板３ｂ側に位置するＬＥＤ３１との配列方向（Ｘ方向）の間隔をｐ／２とした場合を一例として説明している。この場合、ＬＥＤ基板３ｂの配列方向（Ｘ方向）の端部のうちＬＥＤ基板３ａに接触する端部と、ＬＥＤ基板３ｂの複数のＬＥＤ３１のうちＬＥＤ基板３ａ側に位置するＬＥＤ３１との配列方向（Ｘ方向）の間隔は、ＬＥＤ基板３ａと同様にｐ／２となる。
【００２７】
また、ＬＥＤ基板３ｂにおける複数のＬＥＤ３１の接触方向（Ｘ方向）の間隔ｐ１，ｐ２，ｐ３は、ＬＥＤ基板３ｂの配列方向（Ｘ方向）の端部側であってＬＥＤ基板３ａに近い端部側から、ＬＥＤ基板３ｂの配列方向（Ｘ方向）の中央部側に向かって、ｐから段階的に大きくなるように形成されている。この場合、ＬＥＤ基板３ａと同様に、ＬＥＤ３１からの光量を、ＬＥＤ基板３ａ，３ｂの境界部分からＬＥＤ基板３ｂの配列方向（Ｘ方向）の中央部側に向かって緩やかに減少させることができる。
【００２８】
なお、複数のＬＥＤ３１の間隔ｐ１，ｐ２，ｐ３がｐから段階的に大きくなるとは、例えば、ｐから所定の割合（例えばｐの１０％等）ずつ増加することであってもよいし、ｐから所定の値（例えば５ｍｍ等）ずつ増加することであってもよい。また、複数のＬＥＤ３１の間隔は、一つの間隔ごとに大きくなってもよいし、所定数（例えば２つ等）の間隔ごとに大きくなってもよい。
【００２９】
また、図４に示すように、ＬＥＤ基板３ａにおいて、複数のＬＥＤ３１は、ＬＥＤ基板３ａの配列方向（Ｘ方向）の中央部をＬＥＤ基板３ａの短手方向（Ｙ方向）に横断する線Ｌを軸として、配列方向（Ｘ方向）に対称となるように配置されてもよい。この場合、ＬＥＤ基板３ａにおいて、ＬＥＤ３１からの光量を、ＬＥＤ基板３ａの配列方向（Ｘ方向）の端部からＬＥＤ基板３ｂの配列方向（Ｘ方向）の中央部に向かって緩やかに変化させることができる。なお、ＬＥＤ基板３ｂについてもＬＥＤ基板３ａと同様に構成してもよい。
【００３０】
なお、複数のＬＥＤ３１のＺ１方向側は、蛍光体（図示省略）により覆われていてもよい。ここで、蛍光体は、ＬＥＤ３１から照射される光により励起されて、所定の色の光を発光するように構成されていてもよい。また、蛍光体は、ＬＥＤ３１からの直接光及び蛍光体から発光される光を合せた光が所定の色温度になるように、その成分が調整されていてもよい。蛍光体は、ＬＥＤ基板３ａ，３ｂの短手方向（Ｙ方向）に所定の幅を有して、ＬＥＤ基板３ａ，３ｂの長手方向（Ｘ方向）に延びる形状を有していてもよい。さらに、蛍光体は、複数のＬＥＤ３１を覆うように、ＬＥＤ基板３ａ，３ｂのＺ１方向側に塗布されていてもよい。
【００３１】
ヒートシンク４は、ＬＥＤ３１から発生する熱を放熱するように構成されている。ヒートシンク４は、基板取付面４１と、一対のリブ４２とを有しており、チューブ１の軸方向（Ｘ方向）に延びる中空形状に形成されている。また、ヒートシンク４は、断面が略半円形状に形成されており、チューブ１の内部に挿入されるように構成されている。具体的には、ヒートシンク４は、チューブ１の裏面カバー１２の一対のリブ１２１によりＺ方向が位置決めされて、チューブ１の内部に挿入されている。ヒートシンク４は、例えばアルミニウムにより形成されていてもよい。
【００３２】
また、ヒートシンク４は、図２に示すように、ＬＥＤ基板３ａ，３ｂが取り付けられるように構成されている。具体的には、ヒートシンク４は、一対のリブ４２によりＹ方向の位置決めが行われたＬＥＤ基板３ａ，３ｂが、放熱テープ（図示省略）を介して基板取付面４１に取り付けられている。一対のリブ４２は、チューブ１の軸方向（Ｘ方向）に延びるように形成されている。また、一対のリブ４２は、ＬＥＤ基板３ａ，３ｂの厚みより小さい高さでＺ１方向に突出するように形成されている。
【００３３】
電源基板５は、外部から供給される交流の電力をＬＥＤ３１の駆動用の直流の電力に変換するように構成されている。電源基板５は、ＬＥＤ基板３ａの長手方向（Ｘ方向）の外側に配置されており、接続ケーブル（図示省略）を介して、端子２１及び制御基板６に接続されている。また、電源基板５は、キャップ２で覆われた部分のチューブ１の内側に配置されている。これにより、電源基板５を外部から見えにくくすることが可能である。
【００３４】
制御基板６は、ＬＥＤ３１の点灯を制御するように構成されている。制御基板６は、ＬＥＤ基板３ｂの長手方向（Ｘ方向）の外側に配置されており、接続ケーブル（図示省略）を介して、ＬＥＤ基板３ｂ及び電源基板５に接続されている。また、制御基板６は、キャップ２で覆われた部分のチューブ１の内側に配置されている。これにより、制御基板６を外部から見えにくくすることが可能である。
【００３５】
以上説明したように、本実施形態に係る照明装置１００及びＬＥＤ基板３ａ（ＬＥＤ基板３ｂ）では、ＬＥＤ基板３ａ（ＬＥＤ基板３ｂ）の複数のＬＥＤ３１の間隔ｐ１，ｐ２，ｐ３は、ＬＥＤ基板３ｂ（ＬＥＤ基板３ａ）に近い端部側からＬＥＤ基板３ａ（ＬＥＤ基板３ｂ）の配列方向（Ｘ方向）の中央部側に向かってｐから段階的に大きくなるように形成されているので、例えば、ＬＥＤ基板３ａ（ＬＥＤ基板３ｂ）内のＬＥＤ３１間の間隔が一定である場合と比較して、ＬＥＤ３１からの光量を、ＬＥＤ基板３ａ，３ｂの境界部分からＬＥＤ基板３ａ（ＬＥＤ基板３ｂ）の配列方向（Ｘ方向）の中央部側に向かって緩やかに変化させることができる。これにより、照射対象のうちＬＥＤ基板３ａ，３ｂの境界部分に対応する部分の照射ムラを低減することができる。また、本実施形態に係る照明装置１００及びＬＥＤ基板３ａ，３ｂでは、ＬＥＤ基板３ａ，３ｂの端部近傍にＬＥＤ３１を設けることが必須ではないので、ＬＥＤ３１をＬＥＤ基板３ａ，３ｂに容易に実装することが可能になる。このため、照射ムラを容易に低減することができる。
【００３６】
以下、上述した実施形態の変形例について説明する。
【００３７】
（変形例）
上述した実施形態では、ＬＥＤ基板３ａ（ＬＥＤ基板３ｂ）の複数のＬＥＤ３１の間隔ｐ１，ｐ２，ｐ３は、ＬＥＤ基板３ｂ（ＬＥＤ基板３ａ）に近い（又は接触する）端部側からＬＥＤ基板３ａ（ＬＥＤ基板３ｂ）の配列方向（Ｘ方向）の中央部側に向かってｐから段階的に大きくなる場合を一例として説明したが、この場合に限られない。例えば、図５に示すように、ＬＥＤ基板３ａにおける複数のＬＥＤ３１の配列方向（Ｘ方向）の間隔ｐ１，ｐ２，ｐ３は、ＬＥＤ基板３ａの接触方向（Ｘ方向）の端部側であってＬＥＤ基板３ｂに近い（又は接触する）端部側から、ＬＥＤ基板３ａの配列方向（Ｘ方向）の中央部側に向かって、ｐから段階的に小さくなるように（図５の例では、ｐ３＜ｐ２＜ｐ１＜ｐとなるように）形成されてもよい。この場合、例えば、ＬＥＤ基板３ａの複数のＬＥＤ３１間の配列方向（Ｘ方向）の間隔が一定である場合と比較して、ＬＥＤ３１からの光量を、ＬＥＤ基板３ａ，３ｂの境界部分からＬＥＤ基板３ａの配列方向（Ｘ方向）の中央部側に向かって緩やかに増加させることができる。また、ＬＥＤ基板３ｂの複数ＬＥＤ３１の間隔ｐ１，ｐ２，ｐ３を、ＬＥＤ基板３ａと同様に形成してもよい。
【００３８】
なお、ＬＥＤ基板３ａ（ＬＥＤ基板３ｂ）の複数のＬＥＤ３１の間隔ｐ１，ｐ２，ｐ３をどのように変化させるか（大きくするのか又は小さくするのか）については、例えば、ＬＥＤ基板３ａ，３ｂに設けられるＬＥＤ３１の数や、ＬＥＤ基板３ａ，３ｂにおけるＬＥＤ３１の密度等に応じて適宜選択してもよい。例えば、ＬＥＤ基板３ａに設けられるＬＥＤ３１の数又は密度が所定値よりも少ない場合には、複数のＬＥＤ３１の間隔ｐ１，ｐ２，ｐ３をｐから段階的に大きくしてもよい。また、ＬＥＤ基板３ａに設けられるＬＥＤ３１の数又は密度が前記所定値以上の場合には、複数のＬＥＤ３１の間隔ｐ１，ｐ２，ｐ３をｐから段階的に小さくしてもよい。
【００３９】
ここで、複数のＬＥＤ３１の間隔ｐ１，ｐ２，ｐ３がｐから段階的に小さくなるとは、例えば、ｐから所定の割合（例えばｐの１０％等）ずつ減少することであってもよいし、ｐから所定の値（例えば５ｍｍ等）ずつ減少することであってもよい。また、複数のＬＥＤ３１の間隔は、一つの間隔ごとに小さくなってもよいし、所定数（例えば２つ等）の間隔ごとに小さくなってもよい。
【００４０】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００４１】
本実施形態においては、２つのＬＥＤ基板３ａ，３ｂを設けた場合を一例として説明したが、これに限られるものではない。例えば、ＬＥＤ基板は、３つ以上設けられていてもよい。
【００４２】
また、本実施形態においては、照明装置１００が直管形状に形成されている場合を一例として説明したが、これに限られるものではなく、例えば環状に形成されていてもよいし、板状に形成されていてもよい。この場合、複数の基板は、照明装置の長手方向に沿って形成されており、照明装置の長手方向に沿って配列されていてもよい。ここで、各基板は、側面同士が所定の間隔（例えば数ｍｍ〜数十ｍｍ程度）をおいて対向するように設けられていてもよいし、側面同士が接触するように設けられていてもよい。また、複数の発光素子は、基板の長手方向に沿って間隔をおいて設けられていてもよい。
【符号の説明】
【００４３】
３ａ，３ｂ  ＬＥＤ基板
３１  ＬＥＤ
１００  照明装置
【図１】
2016139547.tif 000003
【図２】
2016139547.tif 000004
【図３】
2016139547.tif 000005
【図４】
2016139547.tif 000006
【図５】
2016139547.tif 000007